【事件の表示】
　特許第３１０４６２８号「情報提供システム、情報提供端末装置及び情報提供センタ装置」の請求項１ないし１２に係る特許に対する特許異議の申立てについて、次のとおり決定する。
【結　論】
　訂正を認める。
　特許第３１０４６２８号の請求項１ないし１２に係る特許を維持する。
【理　由】
１．手続の経緯
　特許第３１０４６２８号の請求項１〜１２に係る発明についての出願は、平成８年１０月９日に特許出願され、平成１２年９月１日にその発明について特許権の設定登録がなされ、その後、その特許について、異議申立人高塚ちはるより特許異議の申立てがなされ、取消しの理由が通知され、その指定期間内である平成１３年９月１１日に訂正請求（後日取下げ）がなされた後、再度の取消しの理由が通知され、その指定期間内である平成１４年２月２０日に訂正請求がなされたものである。
　
２．訂正の適否についての判断
(1)訂正の内容
　特許権者が求めている訂正の内容は、以下のａ，ｂのとおりである。
ａ．特許請求の範囲の請求項１乃至請求項１２に記載された「デジタル信号によって情報が記録された媒体」を「デジタル信号によって情報が記録された媒体である単体で音楽が再生されることを前提としたＣＤ」に訂正する。
ｂ．明細書の段落番号【００１２】〜【００１８】に記載された「デジタル信号によって情報が記録された媒体」を「デジタル信号によって情報が記録された媒体である単体で音楽が再生されることを前提としたＣＤ」に訂正する。
　
(2)訂正の目的の適否、新規事項の有無及び拡張・変更の存在
　上記訂正事項ａに関連する記載として、願書に添付した明細書（以下「特許明細書」という。）の発明の詳細な説明には、
「【００１０】
  また、既に販売されているＣＤやこれから販売されるＣＤやＤＶＤなど、単体で再生されることを前提とした媒体を利用して、これらの媒体に記録されている情報に関連する最新情報や補助情報などを簡単な操作で提供することを目的とする。」
「【００７０】
  そして、上記した本発明の実施例により、ユーザは関連情報を入手するために、新たな媒体を買う必要はなく、従来からある（自分で所有している）ＣＤやＣＤ−ＲＯＭをそのまま利用して関連情報を入手することが可能となる。すなわち、通常ユーザが自分で所有しているＣＤは、基本的に自分の好きなアーティストや曲が中心であるので、特に検索などのわずらわしい操作をすることなく、自分の好きなアーティストや曲に関する関連情報を入手することができる。」
と記載されていることから、「デジタル信号によって情報が記録された媒体」として「デジタル信号によって情報が記録された媒体である単体で音楽が再生されることを前提としたＣＤ」は、特許明細書に記載されているものと認める。
　そうすると、上記訂正事項ａは、特許明細書に記載された事項の範囲内において「デジタル信号によって情報が記録された媒体」を限定したものであるから、特許請求の範囲の減縮に該当するものであり、しかも、新規事項の追加に該当しない。
　また、上記訂正事項ｂは、上記訂正事項ａと整合を図るものであるから、明瞭でない記載の釈明を目的とした明細書の訂正に該当し、しかも、新規事項の追加には該当しない。
　そして、上記いずれの訂正も、実質上特許請求の範囲を拡張し、又は変更するものではない。
　
(3)むすび
　以上のとおりであるから、上記訂正は、特許法第１２０条の４第２項及び同条第３項において準用する特許法第１２６条第２，３項の規定に適合するので、当該訂正を認める。
　
３．特許異議申立について
(1)申立ての理由の概要
　申立人高塚ちはるは、本件請求項１〜１２に係る発明は、甲第１号証（特開平５−２９８３３７号公報）に記載された発明に基づいて、その発明に属する技術の分野における通常の知識を有する者が容易に発明をすることができたものであるから、特許法第２９条第２項の規定により特許を受けることができないものであり、特許法第１１３条第２号の規定により取り消すべきものであると主張している。
　
(2)本件の請求項１〜１２に係る発明
　上記２．で示したように、上記訂正が認められるから、本件の請求項１〜１２に係る発明（以下、「本件発明１〜１２」という。）は、上記訂正請求に係る訂正明細書の特許請求の範囲の請求項１に記載された事項により特定されるとおりのものである。
　
(3)刊行物等
　特許異議申立人が証拠として例示した甲第１号証（特開平５−２９８３３７号公報）（以下、「刊行物」という。）には、以下のような発明が記載されている。
「カタログ情報を格納しているＣＤ−ＲＯＭからディスクＩＤを読み取って販売会社のホスト制御部へ送信するユーザ側端末と、
　送信された上記ディスクＩＤに基づいて、最新価格データ及び有効期限データを上記ユーザ側端末に送信する、ホスト制御部
を有する、カタログショッピングシステム。」
　
(4)対比・判断
　本件発明１と刊行物記載の発明とを対比すると、刊行物記載の発明のカタログ情報を格納しているＣＤ−ＲＯＭは、本件発明１を特定する事項である「単体で音楽が再生されることを前提としたＣＤ」とは異なる。
　そしてこの相違により、本件発明１は、特許明細書第７０段落に記載された、
「ユーザは関連情報を入手するために、新たな媒体を買う必要はなく、従来からある（自分で所有している）ＣＤやＣＤ−ＲＯＭをそのまま利用して関連情報を入手することが可能となる。すなわち、通常ユーザが自分で所有しているＣＤは、基本的に自分の好きなアーティストや曲が中心であるので、特に検索などのわずらわしい操作をすることなく、自分の好きなアーティストや曲に関する関連情報を入手することができる。」
という顕著な効果を奏するものであるから、本件発明１が刊行物から容易に発明をすることができたものとは言えない。
　本件発明２〜１２も、同様の理由により、刊行物から容易に発明をすることができたものとは言えない。
　
(5)むすび
　以上のとおりであるから、特許異議申立ての理由及び証拠によっては、本件発明１〜１２を取り消すことができない。
　また、他に本件発明１〜１２を取り消すべき理由を発見しない。
　よって、結論のとおり決定する。
【異議決定日】
平成１４年３月１日（２００２．３．１）
【訂正の要旨】
訂正の要旨
ａ．特許請求の範囲の減縮を目的として、特許請求の範囲の請求項１乃至請求項１２に記載された「デジタル信号によって情報が記録された媒体」を「デジタル信号によって情報が記録された媒体である単体で音楽が再生されることを前提としたＣＤ」に訂正する。
ｂ．明瞭でない記載の釈明を目的として、明細書の段落番号【００１２】〜【００１８】に記載された「デジタル信号によって情報が記録された媒体」を「デジタル信号によって情報が記録された媒体である単体で音楽が再生されることを前提としたＣＤ」に訂正する。
（５４）【発明の名称】
情報提供システム、情報提供端末装置及び情報提供センタ装置
（５７）【特許請求の範囲】
　【請求項１】
　デジタル信号によって情報が記録された媒体
である単体で音楽が再生されることを前提としたＣＤ
ＣＤ
　前記情報提供端末装置から供給される前記識別信号に応じて、前記
ＣＤ
　【請求項２】
　デジタル信号によって情報が記録された媒体
である単体で音楽が再生されることを前提としたＣＤ
ＣＤ
ＣＤ
　この識別信号に対応して外部から前記情報に関連する関連情報が供給されることを特徴とする情報提供端末装置。
　【請求項３】
　情報提供端末装置側で再生される媒体
である単体で音楽が再生されることを前提としたＣＤ
　【請求項４】
　デジタル信号によって情報が記録された媒体
である単体で音楽が再生されることを前提としたＣＤ
　前記
ＣＤ
ＣＤ
　前記識別信号に対応して外部から供給される前記情報に関連する関連情報を再生する関連情報再生手段とを備えたことを特徴とする情報提供端末装置。
　【請求項５】
　情報提供端末装置側で再生される媒体
である単体で音楽が再生されることを前提としたＣＤ
　前記識別信号を出力した前記情報提供端末装置に対して、前記識別信号に対応した前記関連情報を出力する関連情報出力手段とを備えたことを特徴とする情報提供センタ装置。
　【請求項６】
　前記固有のコードは前記媒体の情報が記録された領域とは異なる領域に記録されていることを特徴とする請求項１に記載の情報提供システム。
　【請求項７】
　前記固有のコードは前記媒体の情報が記録された領域と同じ領域に記録されていることを特徴とする請求項１に記載の情報提供システム。
　【請求項８】
　前記固有のコードはＰＯＳコードであることを特徴とする請求項６に記載の情報提供システム。
　【請求項９】
　前記
ＣＤ
　【請求項１０】
　複数の小情報によって構成されている情報群がデジタル信号によって記録された媒体
である単体で音楽が再生されることを前提としたＣＤ
ＣＤ
ＣＤ
　前記情報提供端末装置から供給される前記識別信号に応じて、前記情報群に関連する第一の関連情報を、前記情報提供端末装置に対して出力すると共に、前記情報提供端末装置から供給される前記特定信号に応じて、前記小情報に関連する第二の関連情報を前記情報提供端末装置に対して出力する情報提供センタ装置とからなる情報提供システム。
　【請求項１１】
　複数の小情報によって構成されている情報群がデジタル信号によって記録された媒体
である単体で音楽が再生されることを前提としたＣＤ
ＣＤ
　【請求項１２】
　情報提供端末装置側で再生される媒体
である単体で音楽が再生されることを前提としたＣＤ
　前記識別信号及び特定信号を出力した前記情報提供端末装置に対して、前記識別信号に対応した前記第一の関連情報及び前記特定信号に対応した前記第二の関連情報を出力することを特徴とする情報提供センタ装置。
【発明の詳細な説明】
　【０００１】
　【発明の属する技術分野】
　本発明は、デジタル信号が記録された媒体を用いた情報提供ネットワーク装置に係り、特に、単体で再生されることを前提に作成されたデジタル信号記録・再生媒体に関連する情報をネットワークを介して提供する情報提供システム、情報提供端末装置及び情報提供センタ装置に関するものである。
　【０００２】
　【従来の技術】
　従来より、ＣＤ（コンパクトディスク）など、デジタル信号により主情報が記録されている媒体（メディア）では、主情報に対する補助的な情報も同一媒体上に記録されていた。この例としては、オーディオＣＤに対して補助記録領域（サブコード）に歌詞・グラフィック情報を記録したＣＤグラフィックス、同じくオーディオＣＤのサブコードにＭＩＤＩ（Ｍｕｓｉｃａｌ　Ｉｎｓｔｒｕｍｅｎｔ　Ｄｉｇｉｔａｌ　Ｉｎｔｅｒｆａｃｅ）を記録したＣＤ＋ＭＩＤＩ、オーディオＣＤの一部にＣＤ−ＲＯＭ情報を記録したエクステンデッドＣＤなどがある。これらのパッケージメディアは一般的に、制作に関するコストを下げるために一度に大量の媒体をプレスする必要が有り、一度プレスした在庫がなくなるまでは、新しいディスクを作成することはない。したがって、一旦媒体を作成してしまうと、新たな補助的情報内容を付加した媒体を新規に作成することは、極めて困難であり、特に、最新の（アップデートな）情報を付加することは、事実上できなかった。
　【０００３】
　また、実際に媒体を制作して使用者の手元に届くまでには、マスターデータができあがってからマスターを製作し、このマスターによって量産プレスした後、データチェックを行って出荷し、流通業者を通してＣＤショップで販売された後にユーザの手元に届くので、ある程度時間がかかり、ＣＤに記録された情報は発売時点で既に古い情報になっていた。このため、時間が経つと不要となる情報は記録できなかった。さらに、コンサートのチケットの売れ残り状況など、日々刻々と変化する情報もＣＤの補助記憶領域に記録することでは対応できなかった。
　【０００４】
　一方、インターネットでは、さまざまな最新情報を取り出すことができるが、自分の欲しい情報を引き出すには、コンピュータなどのキーボードを操作して、専用のブラウザ（インターネット専用通信ソフト）を用い、ＵＲＬ（Ｕｎｉｆｏｒｍ　Ｒｅｓｏｕｒｃｅ　Ｌｏｃａｔｏｒ）と呼ばれる情報のありかを示すアドレス（例えばｈｔｔｐ：／／ｗｗｗ．ｊｖｃ−ｖｉｃｔｏｒ．ｃｏ．ｊｐなど）を入力しなければならず、また、ほかにもマウスなどを使って常にディスプレイの前に座って操作しなければならないなど、ユーザにとっては使い勝手の悪いものであった。
　【０００５】
　すなわち、検索エンジンを用いて（ＵＲＬを検索することができる場所にアクセスして）検索を行ったり、雑誌その他で好きな情報が載っているサイト（情報が蓄積されているコンピュータ，サーバ）のＵＲＬを探して入力するなど、複雑な操作を行わないと、欲しい情報を得ることができなかった。したがって、テレビを見るときのように寝転がりながら簡単な操作だけで自分の好きな情報を選択して享受することはできなかった。
　【０００６】
　さらに、インターネットでハイクォリティの音声を伝送するには、現状の通信回線の環境では膨大な時間が必要であり、インターネットでＣＤやＤＶＤに匹敵する容量のデータを得るには、待時間が非常に長い上に、接続時間が長くなることにより接続費用も膨大となっていた。
　【０００７】
　【発明が解決しようとする課題】
　ＣＤはパッケージメディアのメリットとしてサンプリング周波数４４．１ｋＨｚで１６ビットリニアのハイクォリティな音響情報を蓄積できる上、即座に再生が可能であり、持ち運びも容易にできるという利点がある反面、最新の情報や時間が経つと不要となる情報は記録できなかった。
　【０００８】
　また、コンサートのチケットの売れ残り状況など、刻一刻と変化する情報もＣＤの補助記憶領域に記録することはできなかった。一方、インターネットでは、さまざまな最新情報を取り出すことができるが、常にディスプレイの前に座って複雑な操作をしなければならないなど、ユーザにとっては使い勝手の悪いものであった。
　【０００９】
　さらに、インターネットでハイクォリティの音声を伝送するには、現状の通信回線の環境では、待時間が非常に長くなる上に接続費用も膨大となり、実際には困難であった。そこで本発明は、大容量の情報を記録することができる媒体と即時性に利点を発揮する通信による情報入手を組み合わせることにより、誰でも簡単に好きな情報を入手することのできる情報提供システムを提供することを目的とする。
　【００１０】
　また、既に販売されているＣＤやこれから販売されるＣＤやＤＶＤなど、単体で再生されることを前提とした媒体を利用して、これらの媒体に記録されている情報に関連する最新情報や補助情報などを簡単な操作で提供することを目的とする。
　【００１１】
　【課題を解決するための手段】
　上記目的を達成するための手段として、以下の情報提供システム、情報提供端末装置、情報提供センタ装置を提供しようとするものである。
　【００１２】
　デジタル信号によって情報が記録された媒体
である単体で音楽が再生されることを前提としたＣＤ
ＣＤ
　【００１３】
　デジタル信号によって情報が記録された媒体
である単体で音楽が再生されることを前提としたＣＤ
ＣＤ
ＣＤ
　【００１４】
　情報提供端末装置側で再生される媒体
である単体で音楽が再生されることを前提としたＣＤ
　【００１５】
　デジタル信号によって情報が記録された媒体
である単体で音楽が再生されることを前提としたＣＤ
ＣＤ
である単体で音楽が再生されることを前提としたＣＤ
　【００１６】
　複数の小情報によって構成されている情報群がデジタル信号によって記録された媒体
である単体で音楽が再生されることを前提としたＣＤ
ＣＤ
ＣＤ
　【００１７】
　複数の小情報によって構成されている情報群がデジタル信号によって記録された媒体
である単体で音楽が再生されることを前提としたＣＤ
ＣＤ
ＣＤ
　【００１８】
　情報提供端末装置側で再生される媒体
である単体で音楽が再生されることを前提としたＣＤ
　【００１９】
　【発明の実施の形態】
　本発明は、既に販売されているＣＤやこれから販売されるＣＤやＤＶＤなどを再生すると共に、これらの媒体に記録されている情報に関連する最新情報や補助情報などをネットワークを介して簡単な操作で入手することができる情報提供システムである。
　【００２０】
　まず、本発明の情報提供システム、情報提供端末装置及び情報提供センタ装置の一実施例を図面と共に説明する。図１は、本発明の情報提供システムの一実施例を示す構成図である。同図において、デジタル信号で情報が記録された媒体１がデジタル信号再生装置（デジタル信号再生手段）２に装着されると、デジタル信号再生装置２は、媒体１に記録されているデジタル信号のうち補助領域に記録されている信号を読み出して、信号出力装置（識別信号出力手段）３に出力する。なお、デジタル信号再生装置２と信号出力装置３とで情報提供端末装置４を構成している。
　【００２１】
　信号出力装置３では、信号処理部３ａ（関連情報再生手段）において、デジタル信号再生装置２から供給される信号から媒体のタイトルに固有のコードを読み出して、このタイトルに固有のコードの内容が識別できる識別信号を生成して、ネットワーク接続部３ｃに出力する。なお、識別信号として、タイトルに固有のコードをそのまま利用しても良い。
　【００２２】
　ネットワーク接続部３ｃでは、識別信号をネットワーク６に送信するのに最適な形態に変換し、情報提供サーバ（情報提供センタ装置）５のアドレスや情報提供端末装置４のアドレスなどを付加してからネットワーク６に出力する。情報提供サーバ５のデータベース（蓄積手段）５ｂは、識別信号ごとに関連情報を蓄積している。この関連情報は、媒体１にデジタル信号で記録された情報の内容に対応したものであり、適宜内容が更新される。そして、識別信号により、媒体１の情報内容に関連する関連情報を取り出すことができる。
　【００２３】
　さて、ネットワーク６を介して情報提供サーバ５に供給される信号は、接続部（関連情報出力手段）５ａによりアドレスなどが除去されて、識別信号のみがデータベース５ｂに供給され、この識別信号に対応する関連情報が取り出される。そして、接続部５ａにて情報提供端末装置４のアドレスなどが付加されて、ネットワーク６に出力される。
　【００２４】
　このネットワーク６に出力された信号は、識別信号を出力した情報提供端末装置４にて受信され、ネットワーク接続部３ｃを介して信号処理部３ａに供給される。信号処理部３ａでは、供給された関連情報を再生し、ディスプレイなどの表示部３ｂに出力して表示する。そして、媒体１にタイトルに固有のコードが記録されていない場合には、媒体１にデジタル信号で記録されている情報を検索し、個々の情報毎に記録された固有の記録コード（例えば後述するＣＤの曲構成データなど）により、識別番号を生成する。この場合も、記録コードそのものを識別番号としても良い。
　【００２５】
　さらに、媒体１にタイトルに固有のコードと記録コードのいずれも記録されていない場合には、媒体１にデジタル信号で記録された個々の情報番号と記録位置情報の両方またはいずれか一方から、識別信号を生成する。この情報番号と記録位置情報は、情報が記録されている以上必ず存在する情報である。
　【００２６】
　しかし、この情報番号と記録位置情報とが両方共、全く同一の媒体１が複数存在する場合には、この方法では媒体１に記録されている情報の種類を特定することができないので、この場合には、媒体１の情報内容を解析して媒体１に記録されている情報の内容そのものから、識別信号を生成する。このことにより、現在市販されているＣＤやＣＤ−ＲＯＭ等やこれから販売される新たな媒体でも、どのような情報が記録されている媒体であるかを判別することができる。
　【００２７】
　また、上記した一連の動作を媒体１が装着または再生されたときに自動的に行うことにより、使用者には全く負担を掛けずに、情報提供サーバ５から供給される関連情報を媒体１に記録されている情報と何ら区別することなく再生することができる。
　【００２８】
　そして、情報提供端末装置４において、媒体１に記録された複数の情報のうち特定の選択された情報を再生する際に、選択された情報の内容を特定する特定信号を出力して、情報提供サーバ５から特定信号の示す情報内容に関連する関連情報を供給してもらい、再生することもできる。この場合、識別信号により、媒体に記録されている情報内容が既に特定されているので、その情報のうちどれが選択されたかを示す情報番号や記録位置情報の両方またはいずれか一方を特定信号とすれば良い。そして、この場合には、個々の情報に合致した関連情報を提供することができる。
　【００２９】
　【実施例】
　以下、図１を参照しながら本願発明の具体的な構成例について説明する。デジタル信号で情報が記録されている媒体１としては、ＣＤ、ＣＤ−ＲＯＭ、ＣＤ−Ｉ、Ｖｉｄｅｏ−ＣＤ、ＣＤ−Ｇｒａｐｈｉｃｓ、ＣＤ＋ＭＩＤＩ、ＣＤ　Ｅｘｔｅｎｄｅｄ、Ｗ−ＣＤ（ＣＤ　Ｗｒｉｔｅ　Ｏｎｃｅ）、Ｅｒａｓａｂｌｅ　ＣＤ（再書き込み可能なＣＤ）、ＭＯ、Ｆｌｏｐｐｙ　Ｄｉｓｃ、ＤＶＤ、ＭＤ、ＤＡＴ（Ｄｉｇｉｔａｌ　Ａｕｄｉｏ　ｔａｐｅ）、レーザディスク、Ｄ−ＶＨＳ（デジタルＶＨＳ（登録商標））、ＤＶＣ（Ｄｉｇｉｔａｌ　Ｖｉｄｅｏ　Ｃａｓｓｅｔｔｅ　ｔａｐｅ）など、デジタル信号で付加情報を書き込める媒体であれば何でも良い。
　【００３０】
　なお、ここでいう付加情報とは、その媒体あるいは媒体に記録されている一つひとつのコンテンツ（情報）の内容を特定することができる情報（データ）であれば何でも良く、例えば商品コード、カタログナンバー、作品タイトル、曲名、アーティスト名、歌詞、音声波形データ、映像データ、制作・販売会社名、総曲数、総演奏時間、個々の演奏時間、ＩＳＲＣ（Ｉｎｔｅｒｎａｔｉｏｎａｌ　Ｓｔａｎｄａｒｄ　Ｒｅｃｏｒｄｉｎｇ　Ｃｏｄｅ）などがある。
　【００３１】
　また、デジタル信号再生装置２と信号出力装置３との組み合わせである情報提供端末装置４のハードウエア形態としては、モデムを内蔵したＣＤプレーヤ、ラジカセ、電話機、ミニコンポ、ゲームマシンなどの機器およびこれに接続するＴＶ等のディスプレイ機器、液晶ディスプレイを内蔵した上記のような機器、あるいはＣＤドライブとＰＤＡ（Ｐｅｒｓｏｎａｌ　Ｄｉｇｉｔａｌ　Ａｓｓｉｓｔａｎｔ）とを組み合わせたような携帯用情報端末機器等が考えられる。また、ＴＶにＣＤプレーヤとモデムを内蔵してもよいし、ＣＤ−ＲＯＭドライブとパソコンの組合せでも良い。そして、ソフトの形態としてはＣＤ−ＲＯＭドライブを利用したアプリケーションソフトとして構成してもよい。
　【００３２】
　ネットワーク６としては、インターネットやＢＢＳのような商用パソコン通信、ケーブルＴＶ網等が考えられる。また、ＴＶの垂直走査期間のブランキング時間にデータ（関連情報）を送り、上り回線（識別信号）に電話回線を用いるインターキャストと呼ばれる方式でもよい。関連情報の送信には衛星放送や通信衛星を用いてもよい。本発明のシステムは基本的に上り情報（識別信号）は、それほどデータ量は多くないから、一般電話回線で十分である。下り回線（関連情報）は回線の転送容量に応じて提供する情報量を変化させてもよい。
　【００３３】
　例えば上りも下りも一般公衆回線であれば、現在のところ最大でも２８．８ｋｂｐｓであるから、関連情報として、動画などの情報量の大きい情報の提供を避けるように設定することも可能であるし、先ずは文字情報を送ってこれを表示し、その間に動画情報を蓄積させるようにしてもよい。また、関連情報の送信方法としては、ＦＭ放送のデータ転送など、地上波であるラジオ、ＴＶ電波を利用してもよい。この場合も電話回線等の上り回線が識別信号を送るために別途必要である。上り及び下り回線としてはＰＨＳや携帯電話網も利用可能である。すなわち、ネットワーク６としては、デジタル双方向通信が可能な方法であれば転送レートに関係なく、何であっても良い。さらに、家庭内にある情報蓄積装置（図示せず）から家庭内ＬＡＮを通して情報を表示させてもよく、ポイントキャストネットワークと呼ばれる新しい形態のネットワークでも良い。
　【００３４】
　また、このネットワーク６への接続は、例えばダイヤルアップで電話線によってネットワーク６に接続するようなネットワーク環境の場合には自動的にダイアルする。この電話回線による接続の場合には、例えば一般公衆回線ならモデム、例えばＩＳＤＮ回線ならＤＳＵ（Ｄｉｇｉｔａｌ　Ｓｅｒｖｉｃｅ　Ｕｎｉｔ）およびＴＡ（Ｔｅｒｍｉｎａｌ　Ａｄａｐｔｅｒ）などを用いて接続する。なお、ネットワーク接続部３ｃが既にイーサネット（Ｅｔｈｅｒｎｅｔ）などのネットワーク６に接続されている場合には、ネットワーク接続のための手順は不要である。
　【００３５】
　次に、本発明の情報提供システム、情報提供端末装置及び情報提供センタ装置の一実施例を図面と共に説明する。図２に示す本実施例ではデジタル信号で情報が記録された媒体１として、ＣＤ（コンパクトディスク）１１を用い、ＣＤが再生可能なプレーヤ１２と信号出力装置のうち表示部を除いた部分を一体にした情報提供端末装置１４を使用した場合について説明を行う。
　【００３６】
　なお、プレーヤ１２はＣＤ１１を再生するプレーヤであるので、ＣＤの再生ができる再生装置であれば何でも良いが、通常は、ＣＤプレーヤやＣＤ−ＲＯＭドライブが用いられる。もちろんＣＤを再生できるレーザーディスクプレーヤやＰＤドライブのような装置でも良い。ＣＤ１１の場合は、情報内容を特定するためにサブコード情報を使用する。
　【００３７】
　まず、関連情報を入手したいＣＤ１１をプレーヤ１２に挿入すると、プレーヤ１２のピックアップ２１によってＣＤ１１のサブコード情報（ＴＯＣ（Ｔａｂｌｅ　ｏｆ　Ｃｏｎｔｅｎｔｓ））がピックアップ再生信号として読み出され、ＣＤ１１がマウントされる。そして、ＣＤ信号復調回路２２によって復調され、信号処理部１３ａのＣＰＵ（中央処理装置）２３に供給される。
　【００３８】
　そして、ＣＤ１１のＴＯＣにカタログナンバー（メディアカタログ番号、タイトルに固有のコード）が記録されていれば、識別信号としてこのメディアカタログ番号を使用し、メディアカタログ番号がなければ、ＩＳＲＣ（＝Ｉｎｔｅｒｎａｔｉｏｎａｌ　Ｓｔａｎｄａｒｄ　Ｒｅｃｏｒｄｉｎｇ　Ｃｏｄｅ）を識別信号としてＣＤ１１の情報内容を特定し、モデム１３ｃを介してネットワーク１６に出力する。このときモデム１３ｃでは、識別信号が供給されると、まず、ネットワーク１６に接続されているかどうかを確認し、接続されていない場合には、自動的にネットワーク１６への接続を行う。
　【００３９】
　ネットワーク１６の先には、情報提供サーバ５（図１参照）が接続されており、情報提供サーバ５では、ネットワーク１６を介して情報提供端末装置４より供給された識別信号をもとに、データベース（蓄積手段）５ｂの検索を行う。このデータベース５ｂには、例えばＣＤの場合には、カタログナンバー（ディスク（タイトル）単位での識別）やＩＳＲＣ（曲単位での識別）などで検索可能な状態でＣＤタイトルや曲毎の情報などの関連情報が蓄積されている。
　【００４０】
　そして、この関連情報は、識別信号を出力した情報提供端末１４に対して、ネットワーク１６を介して出力される。そして、情報提供端末１４はモデム１３ｃを介して関連情報が供給されると、ＣＰＵ２３にて関連情報の種類を判別し、映像データである場合には、映像信号生成部２４にそのデータを出力して映像信号を生成し、ディスプレイ１３ｂに供給された関連情報を表示する。
　【００４１】
　同時に、ＣＤ１１を再生し、ピックアップ２１にてピックアップ再生信号として読み出される情報内容をＣＤ復調回路２２にて復調し、Ｄ／Ａ変換回路２６でアナログ信号に変換して、オーディオアンプ１７に出力する。そして、オーディオアンプ１７で音声信号を増幅して、スピーカ１８ａ，１８ｂから音響信号を出力させる。
　【００４２】
　なお、この実施例では、情報提供サーバ５から供給される関連情報が映像情報である場合の例について示しているが、情報提供サーバ５からの関連情報はこれに限らず、照明やロボットなどの機器制御信号、音声情報、ファイルデータ等、デジタル化される情報であれば何でも良い。
　【００４３】
　ここで、識別信号や特定信号として用いられるＣＤのカタログナンバー（タイトルに固有のコード）、ＩＳＲＣ（記録コード）、ＣＤのサブコードについて説明する。
　【００４４】
　＊　カタログナンバーについて：ＣＤの規格上ではＣａｔａｌｏｇ　Ｎｕｍｂｅｒと呼ばれ、一枚のＣＤに対して一つ存在するものであり、同じカタログ番号を持つＣＤは必ず同じ情報内容を有している。内容は俗にいうＰＯＳ（Ｐｏｉｎｔ　Ｏｎ　Ｓａｌｅｓ）コードで、日本国内ではＪＡＮ　Ｃｏｄｅといい、１３桁の数字コードが用いられている。このコードはＣＤ制作側がタイトル名やアーティスト名とともに管理している。先頭の２桁は必ず４９（国別コード）、次の２桁はＡＶソフトの場合は８８が来る。次の３桁は各制作会社毎に通産省で申請してもらうメーカコードで、残りの６桁が各ＣＤ固有の番号となる（ただし最後の１桁はデータ読取エラー検出のためのチェックサム（ｃｈｅｃｋｓｕｍ）である）。なお、国別コードは新たに４５も設定され、最近タイトル数の多いメーカや新たなる制作会社ではこのコードを使用している。
　【００４５】
　＊　ＩＳＲＣ　について：ＣＤの曲単位でサブコードに入れてある曲別のコードのことである。記録する場合は通常各曲の最初に（曲番号が変わったら直ちに）記録する。先頭の５文字分（Ｉ１〜Ｉ５）の英数字は６ビットの０ｃｔａｌで表現され、最初の２文字が国番号、次の３文字が発行者をあらわしている。後の７文字分（Ｉ６〜Ｉ１２）は４ビットのＢＣＤで表現されており、前半の２文字は年度をあらわし、後の５文字は固有の歌コードをあらわしている。
　【００４６】
　＊　ＣＤのサブコードについて
ＣＤにはサブコードと呼ばれる情報記録領域がある。ＣＤのサブコードは１フレームにつき８ビットで構成され、これらのビットは先頭から順にＰ、Ｑ、Ｒ、Ｓ、Ｔ、Ｕ、Ｖ、Ｗという記号が付される。Ｐ及びＱビットは、図３に示すように、フレーム２から９７までの９６ビットで一つの情報を表す。これらの情報はそれぞれＣｈａｎｎｅｌ　Ｐ及びＣｈａｎｎｅｌ　Ｑと呼ばれる。Ｃｈａｎｎｅｌ　Ｐには曲間を表すフラグ（曲間符号）が記録される。Ｃｈａｎｎｅｌ　Ｑには時間情報が記録されるが、詳細は後述する。
　【００４７】
　後半のＲ〜Ｗの６ビットは９６フレームをさらに４つに分け、ＰＡＣＫと呼ばれる単位で情報を記述している。図３の下半分に、このＰＡＣＫのフォーマットの詳細を示している。カラオケなどで用いられるＣＤグラフィックスや、ＣＤ＋ＭＩＤＩなどのデータはこのＰＡＣＫ形式を用いて記録されている。
　【００４８】
　ＣＤはプレーヤに挿入されると、まずＴＯＣ（Ｔａｂｌｅ　ｏｆ　Ｃｏｎｔｅｎｔｓ）情報が読み込まれる。プレーヤはこの情報より、挿入されたＣＤディスクの総曲数、トータルの演奏時間などを算出し、プレーヤのＬＣＤディスプレイなどに表示する。この情報はＣＤのリードイン領域のＣｈａｎｎｅｌ　Ｑに記録されている。このＣｈａｎｎｅｌ　Ｑは３つのモードを有している。Ｍｏｄｅ−１はリードイン領域では、各曲の開始タイムコード（分、秒、フレーム）や１曲目の曲番号、最終曲の曲番号リードアウトの開始タイムコードが記述され、ｍｕｓｉｃ領域及びリードアウト領域では現在再生している曲番号、現在のタイムコードが記録される。Ｍｏｄｅ−２ではカタログナンバが記述される。Ｍｏｄｅ−３はＩＳＲＣのコードが記述されている。
　【００４９】
　以上説明したように、市販されているＣＤには、サブコード領域にカタログナンバー、ＩＳＲＣ等が記録されており、これらの情報を利用することにより、ＣＤに記録されている情報内容（コンテンツ）を特定することは可能であることが分かる。
　【００５０】
　次に、ＣＤのタイトル（情報内容）を特定する方法について図２に示す構成図と図５に示すフローチャートとを参照しながら説明する。図２に示す実施例では、デジタル信号再生装置であるＣＤプレーヤ１２と信号出力装置の一部とが一体となった情報提供端末装置１４の場合を示している。また、図５に示すフローチャートは、情報提供端末装置４側と情報提供サーバ５側の処理フローの第１の実施例を示している。
　【００５１】
　情報提供端末装置１４のプレーヤ１２にＣＤ１１が挿入されると、ピックアップ２１によりＣＤ１１のリードイン領域のチャンネルＱデータが読み込まれ（ステップ３３）、情報提供サーバ５（図１参照）へ送信するためのファイル（識別信号）を作成する。このファイルをファイルＡとする（ステップ３４）。このファイルＡの内容を図６（Ａ）に示す。ファイルＡに書かれる最初のデータはＣＴＲＬであり、ここにはチャンネルＱの先頭４ビットの値が記述される（ＣＴＲＬの各ビットの意味については説明を省略する）。次に、５２ビットのカタログナンバーが記述される。ＣＤ１１にはチャンネルＱのＭＯＤＥ−２を用いてカタログナンバーが記録されている。プレーヤ１２がＣＤ１１のリードイン領域を読むときに、同じ領域にＭＯＤＥ−２を用いて記述されたカタログナンバーがあれば、ファイルＡのここの部分に記述する。カタログナンバーが記述されていない場合は、ＣＤ１１上には通常オール０の値が記録されているので、５２ビット全てを０にしておく。
　【００５２】
　その次にファイルＡに記述されるのが、曲構成データである。ＣＤ１１には、チャンネルＱのＭｏｄｅ−１を用いて曲構成データが記録されている。先ほどのカタログナンバーは必ずしも全てのＣＤに記録されているわけではないが、この曲構成は必ず記録されており、これがないと通常の再生プレーヤはＣＤをマウントしない（その場合はイジェクトしてしまうものが多い）。曲構成データの具体的な内容についても説明は省略するが、この内容は、ＣＤ１１上にＰＯＩＮＴ＝０１，０１，０１，０２，０２，０２，０３，０３，０３，．．．．．．Ａ２，Ａ２，Ａ２の形式でそれぞれ同じＰＯＩＮＴの内容が３回ずつ繰り返されて記録されており、ファイルＡにはこの一回分のみを記述する。
　【００５３】
　また、ＣＤ１１のリードイン領域では、ＰＯＩＮＴが０１からＡ２までが一通り記録された後、同じ内容がＰＯＩＮＴが０１からＡ２まで繰り返し記録されている。これは一度では読めなかった場合に次の繰り返しを読むために多重書きされているものである。ファイルＡには、ＰＯＩＮＴが０１からＡ２まで一通り読めた時点で、１回分の内容のみを記述する。ファイルＡの最後に付加されているデータ選択情報は、ユーザが情報提供端末装置１４で取り出したい関連情報の内容を指定するための項目情報である。これは、同じタイトルのＣＤ１１に関しても、例えばコンサート情報を知りたいのか、歌詞を表示させたいのかなどユーザや状況などにより個々の要求項目は異なってくる。そこで、ユーザが何も操作しなくてもディスプレイ１３ｂ上に関連情報を表示できるようにするために、ユーザからの情報選択リクエストデータエリア（データ選択情報エリア）を設けている。もちろん、分類するほどの情報量ではなかったり、ユーザが自分でインタラクティブに好きな情報を選ぶようなシステムにした場合には、このデータ選択情報はなくてもよい。
　【００５４】
　このようにして、ファイルＡが作成された後、このファイルＡは情報提供サーバ５に送信される。情報提供サーバ５では、ファイルＡが送られるとまず、ＣＤ１１のタイトルの特定を行う作業に入る（ステップ５２）。カタログナンバーがＣＤ１１に記述されている場合は、カタログナンバーはＣＤ１１のタイトルと１体１の関係にあるので、すぐに所定の情報提供を行うことができる。ところが、市販のＣＤ１１にはこの番号が記録されていないものが多数ある。この場合カタログナンバーからはタイトルを特定することができないので、ファイルＡに記述された他の情報を用いる。すなわち、ファイルＡカタログナンバーが全て０の場合には、カタログナンバーがＣＤ１１に記録されていなかったと判断し、前述の曲構成データを用いて特定作業を行う。曲構成データの内容は、各曲の開始時間などの情報であるが、必ずしもタイトルと１対１の関係にはないので、もしこの内容が全く同じＣＤ１１があった場合にはさらに、ＣＯＮＴＲＯＬ情報を用いて比較する。たいていのＣＤはこれで特定できるが、もし同一内容のＣＤタイトルが２つ以上あった場合には、この段階では特定不能と判断し（ステップ５２→Ｎｏ）、更に詳しい情報としてファイルＢの送信を情報提供端末装置１４側に要求する（ステップ５３）。この段階で特定できた場合には（ステップ５２→Ｙｅｓ）、タイトルが確定したという情報を情報提供端末装置１４側へ送信し（ステップ６０）、タイトル特定作業を終了する（ステップ４１）。
　【００５５】
　また、逆にファイルＡの曲構成データに該当するものがデータベース上に一つもない場合もある。その場合には（ステップ５２→該当情報なし）、該当情報がない旨情報提供端末装置１４側へ送信し（ステップ５４）、情報提供端末装置１４側で、該当情報が存在しない旨の表示などのエラー表示を行い（ステップ４０）、タイトル特定作業を終了する（ステップ４１）。
　【００５６】
　情報提供サーバ５からファイルＢが要求された場合には、情報提供端末装置１４側でファイルＢを作成する（ステップ３６）。このファイルＢにはタイトルを特定する方法として前述のＩＳＲＣを記述する。図６（Ｂ）にそのファイル内容を示す。ＩＳＲＣはＣＤのリードイン領域ではなく、各曲の先頭部分に記述されているので、１曲ずつＣＤをスキャンして読み取る必要がある。これはかなり読取時間を要するので、通常はファイルＡのみを送るだけで特定させる。つまり、ファイルＡでは特定できなかったときにのみ、各曲の先頭をプレーヤ側でスキャンして読み込んでいき、ファイルＢを作成し、送信する（ステップ３７）。ファイルＢは必ずしも全曲分が読み出されてから送らなくとも良く、１曲ずつ情報提供サーバ５に送信しても良い。また、もし１曲目にＩＳＲＣが記録されていなかった場合に、２曲目以降に記録されている可能性は低いので、１曲目に記録されていなかった段階で、次のファイルＣの作成、送信ステップに移ってもよい。
　【００５７】
　また、以上の説明ではファイルＡが特定できないことが分かってからファイルＢの作成に移っているが、その間は端末が確定結果が出るまで待つ事になる。もし確定しなかった場合、ユーザはさらにファイルＢの作成に要する時間だけ待たされる。この待ち時間を減らすためにファイルＡの特定作業を情報提供サーバ５側が行っている間に、ファイルＢの作成作業を情報提供端末装置１４側で開始してもよい。この場合のフローは図５に示すようになるがこれはあとで説明する。
　【００５８】
　ファイルＢはファイルＡと同様に情報提供サーバ５側に送信され、情報提供サーバ５側でこのファイルＢによってタイトルが特定されれば（ステップ５５→Ｙｅｓ）、タイトルが確定したという情報を情報提供端末装置１４側へ送信し（ステップ６０）、タイトル特定作業を終了する（ステップ４１）。ここで、ＩＳＲＣも記録されていない場合には、ファイルＢでタイトルを特定することができないので（ステップ５５→Ｎｏ）、更に詳しい情報としてファイルＣ送信を情報提供端末装置１４側に要求する（ステップ５６）。
　【００５９】
　情報提供端末装置１４はファイルＣを作成し（ステップ３８）、情報提供サーバ５側に送信する（ステップ３９）。ファイルＣの内容は、図６（Ｃ）に示すように、曲データそのものの先頭部分の値である。各曲毎に、左右両チャンネル分のオーディオ波形データの先頭の無音部分を取り除いて、それぞれ数十サンプル程度をサンプリングしたデータを、フレーム単位で記述した無音部分の長さと共にファイルＣとして送信する。これも、１曲目の波形データで確定できる確率が高いことから、待ち時間を減らすためにまず、１曲目に関して先頭部分の波形データ及び無音部分の長さのデータを情報提供サーバ５側に送り、もしもそれでも特定できない場合には、さらに２曲目、３曲目について同様に先頭部分の波形データ及び無音部分の長さのデータを情報提供サーバ５側に送るようにしてもよい。ファイルＣは曲のデータそのものなので、このファイルＣにより情報提供サーバ５に蓄積してある全タイトルの特定が可能であると考えられる（ステップ５７→Ｙｅｓ）。したがって、タイトルが確定したという情報を情報提供端末装置１４側へ送信し（ステップ６０）、タイトル特定作業を終了する（ステップ４１）。
　【００６０】
　もしも万が一、ファイルＣの全ての曲に関する情報を受け取った後でも同じ内容のデータベースが複数あり、タイトルを特定することができない場合には（ステップ５７→Ｎｏ）、特定不能のエラーとして情報提供端末装置１４側へ送信し（ステップ５８）、情報提供端末装置１４によってディスプレイ１３ｂでエラー表示を行う（ステップ４０）。
　【００６１】
　また、プライベートに作成されたＣＤ、海賊版と呼ばれる違法ＣＤに関しては、当然のことながら情報提供サーバ５には関連情報が蓄積されていないので（ステップ５７→該当情報なし）、該当情報がない旨情報提供端末装置１４側へ送信し（ステップ５４）、情報提供端末装置１４側で、該当情報が存在しない旨の表示などのエラー表示を行い（ステップ４０）、タイトル特定作業を終了する（ステップ４１）。この場合はユーザがサービスを受けることができない。
　【００６２】
　そして、上述したように、情報提供サーバ５がファイルＡやファイルＢの特定作業を行っている間に、情報提供端末装置１４がファイルＢやファイルＣの作成作業を開始することにより、ユーザの待ち時間を減らすことができる。この場合の動作フローを図５に示し、以下に説明する。なお、図４に示し、上記説明にて説明ししたステップと同じ動作を行うステップに関しては、同じステップ番号を付すことによりその説明を省略する。
　【００６３】
　同図において、情報提供端末装置１４のステップ３５までの処理、及びステップ６１を除く情報提供サーバ５での全ての処理は、上記した図４での処理と全く同じである。そして、情報提供端末装置１４は、ファイルＡを送信した（ステップ３５）直後からファイルＢの作成を開始する（ステップ３６）。その時情報提供サーバ５側では、ファイルＡを受け取ってタイトル特定作業を開始したところである。
　【００６４】
　情報提供端末装置１４は、ファイルＢを作成しながら情報提供サーバ５からの情報を待ち（ステップ４２）、要求がない場合には（ステップ４２→要求なし）、そのままファイルＢの作成作業を続ける（ステップ３６）。このステップ３６からステップ４２に移るタイミングを適当な間隔で行うことにより、通常はステップ３６とステップ４２との間でループしている。そして、ファイルＢの作成が終了してもまだ何も情報提供サーバから要求が来なければそのまま待つ。なお、ネットワーク回線が切れたり、情報提供サーバ５側がダウンしていることもあり得るので、ある程度の時間が経っても情報提供サーバ５からの応答がなければ、タイトルの特定作業を中止するステップを加えてもよい。
　【００６５】
　もし、ファイルＡによってタイトルが確定した場合は（ステップ５２→Ｙｅｓ）、ファイル作成中止要求（ステップ６１）がタイトル確定通知と共に情報提供サーバ５側からくるので（ステップ６０）、これで確定したと判断し、ファイルＢの作成作業を中止して（ステップ４２→中止要求）、タイトル特定作業を終了する（ステップ４１）。
　【００６６】
　情報提供サーバ５側でファイルＡの内容だけでは確定しなかった場合には（ステップ５２→Ｎｏ）、ファイルＢの送信要求（ステップ５３）が情報提供端末装置１４側に来るので（ステップ４２→ファイルＢ送信要求）、情報提供サーバ５にファイルＢを送信する（ステップ３７）。この図５に表した処理シーケンスでは、送信要求がきた時点でファイルＢを送るようになっている。これは、ユーザが待つ時間をできる限り減らすために行うものであるが、ネットワーク１６の回線が混んでいるときなど、まとめて送った方がよい場合はそのままファイルＢの作成作業を続け、ファイルＢ作成が終了した後にファイルを送るようにしてもよい。そして、情報提供端末装置１４では、ファイルＢを送信した直後から、ファイルＣの作成作業を開始し（ステップ３８）、以下、ファイルＣについてもファイルＢの場合と同様の処理ステップとなる。
　【００６７】
　以上説明した実施例では、ＣＤプレーヤ１２と信号処理部１３ａとを組み合わせた情報提供端末装置１４を使用したが、パソコンを用いた場合は、次のようになる。図１に対応させて説明すると、媒体１として、ＣＤを利用する場合、デジタル信号再生装置２としてＣＤ−ＲＯＭドライブ、信号出力装置３としてパソコン、信号処理部３ａとしてパソコンソフト（アプリケーション）、表示部３ｂとしてディスプレイ、ネットワーク接続部３ｃとしてモデム、ネットワーク６としてインターネット、情報提供サーバ５としてワークステーションを用い、ＣＤからのピックアップ再生信号をＳＣＳＩインターフェースを介して、パソコンに入力し、アプリケーションソフトの指示によって、パソコンを動作させることにより、インターネットを介して接続されているワークステーションからＣＤの関連情報を入手することができる。なお、この場合、ユーザ側のシステム（情報提供端末装置）はほとんどソフトの処理が中心になる。
　【００６８】
　以上説明した本発明の情報提供システムでは、情報提供サーバより供給される関連情報により、情報提供端末装置を所有するユーザに対して、各種のサービスを提供することができる。そして、この例としては、次のようなものが考えられる。但し、これらの関連情報は、あくまで一例であり、これに限定されるものではない。
　【００６９】
　（１）　今聴いているＣＤや曲に関する情報…制作エピソード、コンサート（チケット）情報、他のアルバム案内（ディスコグラフィー）、ファンクラブ情報等を表示する。
（２）　カラオケサービス…ＣＤの曲の進行にあわせて歌詞表示し、色変わりを行う。
（３）　エンターテインメント…曲にあわせて照明が点滅したり、玩具が動くなど、ディスプレイへの表示以外の各種制御を行う。
（４）　曲名や歌手名などを表示する。
（５）　ＣＤ−Ｇ，ＣＤ−ＭＩＤＩ等、従来ＣＤのサブコード情報で提供されていたサービスをオンライン提供する。
（６）　聴いているＣＤやアーティストに関するホームページを表示する。
（７）　聴いているＣＤやアーティストに関する商品のオンラインショッピングを行う。
　【００７０】
　そして、上記した本発明の実施例により、ユーザは関連情報を入手するために、新たな媒体を買う必要はなく、従来からある（自分で所有している）ＣＤやＣＤ−ＲＯＭをそのまま利用して関連情報を入手することが可能となる。すなわち、通常ユーザが自分で所有しているＣＤは、基本的に自分の好きなアーティストや曲が中心であるので、特に検索などのわずらわしい操作をすることなく、自分の好きなアーティストや曲に関する関連情報を入手することができる。
　【００７１】
　また、現在のパソコンによるインターネット接続は、どのかのサイトを見にいくときにＵＲＬを打ち込む必要があるため、必ずなんらかの形で文字（英数字など）を入力しなければならず、キーボードアレルギー等、一般のユーザが使いにくく、普及の妨げになっている。また、ゲーム機などでジョイパッドを使用してインターネット接続を行う場合は、文字入力が行い難いという欠点があった。しかし、本発明の情報提供システムでは、ＣＤ等の媒体を挿入または再生する（再生ボタンを押す）だけでイベント（マウスクリックやキーボード入力などのときに発生するトリガーのこと）が発生して、自動的に動作を開始するので、ユーザが面倒な操作をする必要がない。
　【００７２】
　そして、本発明は、関連情報を入手する日時により、サービス内容（関連情報の内容）を変えることができる。例えば、ＣＤの発売日に買ったユーザのみ、その日に限りアーティストから直接、「早速買ってくれてありがとう」などと声のメッセージが送られるなど、期間限定のサービスも可能になる。
　【００７３】
　さらに、ＣＤ等の媒体を再生することのできるパソコンを持っているユーザなどは、すでに家庭に多数有るＣＤをそのままパソコンに挿入するだけで、パソコン通信やインターネットにより本発明によるサービスを享受できるので、新たな媒体やその媒体を再生するプレーヤを買う必要がない。
　【００７４】
　また、媒体製造会社のメリットとしては、販売されている媒体に既にあるサブコードを元にしたデータベース（例えば、ＣＤグラフィックスによるカラオケ歌詞文字・色変わりデータベース）を有効活用して、新たなサービスを提供することができる。そして、販売されているＣＤからテープにダビングした場合などは、テープにはカタログナンバー情報がコピーされないので、コピーからは関連情報を入手することはできない。従って違法コピーの増加を防ぐことができる。
　【００７５】
　さらに、レンタルしたＣＤは借りている間しか関連情報を見ることができないので、返却してしまった後はその後に追加される最新情報などを得ることができない。従って、ユーザの購買意欲を増進させることにつながり、ＣＤの売り上げを増やすことにもなる。そして、以前に買った古いＣＤからも最新の情報を引き出せるので、旧譜タイトルの活性化にも繋がる。
　【００７６】
　また、情報提供センタ装置側で、統計を採ることにより、ユーザの嗜好を個々にデータベース化できるので、個人ベースでのマーケッティング資料として活用できる。これは、放送系以外での視聴率調査が可能になるということである。従来のパッケージメディアはスタンドアローンで再生されるため、そのＣＤを買ってからどれくらいの頻度で聞いたか、何曲目を好んで聴くか、などの情報は得られなかった。しかし、本発明により、ユーザはその情報を提供する代わりにアーティストなどの最新情報を得ることになるので、情報を入手する確率は高くなる。また、ＣＤ制作会社やアーティスト等、媒体提供者側はユーザがどの曲を多く聴くかといった細かい情報も得ることができるので、その後の曲作りや今後の販売予定に生かすことができる。
　【００７７】
　そして、ＣＤを再生した後は何も操作しなくても、テレビ番組を見る時と同じ様に（いわゆる”ながら族”感覚で）、つらつらとディスプレイに情報を表示することも可能となるので、通常のＷＷＷのネットサーフィンのように、マウスを持って画面とにらめっこしながら、操作する必要がなくなる。したがって、パソコンを個々人だけで使用する機器から、大勢で見る（眺める）機器に変身させることにもなり、いわゆるパーソナルなメディアからパブリックなメディアに変身させることにもなる。
　【００７８】
　そして、本発明はインターネット接続型のハード機器の大きな特徴になり、ＣＤやＤＶＤプレーヤ内蔵のインターネットテレビに本発明を使用した場合には、そのまま一般ユーザに対する情報提供サービスを行うことができる。
　【００７９】
　【発明の効果】
　本発明の情報提供システム、情報提供端末装置及び情報提供センタ装置によれば、ユーザは関連情報を入手するために、新たな媒体を買う必要はなく、従来からある（自分で所有している）ＣＤやＣＤ−ＲＯＭをそのまま利用して関連情報を入手することが可能となる。また、媒体を挿入または再生する（再生ボタンを押す）だけで、自動的に動作を開始するので、ユーザが面倒な操作をする必要がない。そして、関連情報を入手する日時により、関連情報の内容を変えることができる。
　【００８０】
　販売されているＣＤの媒体からからテープなど別の媒体にダビングした場合などは、テープにはカタログナンバー情報がコピーされないので、コピーからは関連情報を入手することはできない。従って違法コピーの増加を防ぐことができるという効果がある。さらに、媒体にタイトルに固有のコードが記録されていない場合に、媒体にデジタル信号で記録された情報を検索し、個々の情報毎に記録された固有の記録コードにより媒体に記録されている情報の内容を特定することにより、タイトルに固有のコードが記録されていない媒体でも情報の内容の特定が可能となる。
　【００８１】
　そして、媒体にタイトルに固有のコードと記録コードのいずれも記録されていない場合に、媒体にデジタル信号で記録された個々の情報番号及び／または記録位置情報により媒体に記録されている情報の内容を特定することにより、タイトルに固有のコードと記録コードのいずれも記録されていない媒体に対しても情報の内容の特定が可能となる。また、情報番号と記録位置情報とが全く同一の媒体が複数存在する場合に、媒体の情報内容を解析して媒体に記録されている情報の内容を特定することにより、正規に販売されている全ての媒体に対して、情報の内容の特定が可能となる。
　【００８２】
　さらに、情報内容に含まれる複数の情報から選択された情報を再生する際に、選択された情報の内容を特定する特定信号を出力するように構成した場合には、媒体に含まれる個々の情報それぞれに対応した関連情報を提供することができる。
【図面の簡単な説明】
　【図１】
　本発明の情報提供システム、情報提供端末装置及び情報提供センタ装置の一実施例を示す構成図である。
　【図２】
　本発明の具体例を示す構成図である。
　【図３】
　ＣＤのサブコードフォーマットを説明するための図である。
　【図４】
　ＣＤタイトル特定処理の第１の例を示すフローチャート図である。
　【図５】
　ＣＤタイトル特定処理の第２の例を示すフローチャート図である。
　【図６】
　識別信号として送信されるファイルの構成例を示す図である。
　【符号の説明】
１　媒体
２　デジタル信号再生装置（デジタル信号再生手段）
３　信号出力装置（識別信号出力手段）
３ａ，１３ａ　信号処理部（関連情報再生手段）
３ｂ，１３ｂ　表示部（ディスプレイ）
３ｃ　ネットワーク接続部
４，１４　情報提供端末装置
５　情報提供サーバ（情報提供センタ装置）
５ａ　接続部（関連情報出力手段）
５ｂ　データベース（蓄積手段）
６，１６　ネットワーク
１１　ＣＤ
１２　（ＣＤ）プレーヤ
１３ｃ　モデム
１７　オーディオアンプ
１８ａ，１８ｂ　スピーカ
２１　ピックアップ
２２　ＣＤ信号復調回路
２３　ＣＰＵ
２４　映像信号生成部
２５　ＲＡＭ（ランダムアクセスメモリ）
２６　Ｄ／Ａ変換回路